【手続補正書】
【提出日】平成29年4月20日(2017.4.20)
【手続補正１】
【補正対象書類名】特許請求の範囲
【補正対象項目名】全文
【補正方法】変更
【補正の内容】
【特許請求の範囲】
【請求項１】
熱媒体を吸入して吐出するポンプ（１１、１２）と、
前記熱媒体を貯留するリザーブタンク（５５）と、
前記熱媒体と熱交換される複数の熱機器（１３、１６、１７、１８、２０Ａ、２０Ｂ）と、
前記複数の熱機器のうち少なくとも１つの熱機器に対して前記熱媒体の流れの上流側に配置され、前記熱媒体の流路の開度を調整する上流側バルブ（２２）と、
前記複数の熱機器のうち少なくとも１つの熱機器に対して前記熱媒体の流れの下流側に配置され、前記熱媒体の流路の開度を調整する下流側バルブ（２３）と、
前記上流側バルブ（２２）と前記少なくとも１つの熱機器との間における前記熱媒体の流路、および前記少なくとも１つの熱機器と前記下流側バルブ（２３）との間における前記熱媒体の流路のうち少なくとも一方の流路を形成し、前記熱媒体の圧力に応じて膨張・収縮するホース（４３、４６、４７、４８、５０、５１）とを備え、
前記複数の熱機器のうち他の少なくとも１つの熱機器に前記熱媒体が流通している場合、前記上流側バルブ（２２）における前記熱媒体の圧力損失が前記下流側バルブ（２３）における前記熱媒体の圧力損失よりも大きくなることによって、前記少なくとも１つの熱機器における前記熱媒体の流量が制限され、
前記上流側バルブ（２２）の開度が前記下流側バルブ（２３）の開度よりも小さくなることによって、前記上流側バルブ（２２）における前記熱媒体の圧力損失が前記下流側バルブ（２３）における前記熱媒体の圧力損失よりも大きくなり、
前記上流側バルブ（２２）および前記下流側バルブ（２３）はそれぞれ、前記熱媒体の流路と連通する開口部（２２２ａ、２３２ａ）が形成された弁体（２２２、２３２）を有しており、
前記上流側バルブ（２２）の開口部（２２２ａ）の形状と前記下流側バルブ（２３）の開口部（２３２ａ）の形状とが互いに異なっていることによって、前記上流側バルブ（２２）の開度が前記下流側バルブ（２３）の開度よりも小さくなることを特徴とする車両用熱管理装置。
【請求項２】
前記複数の熱機器（１３、１６、１７、１８、２０Ａ、２０Ｂ）のうち他の少なくとも１つの熱機器に前記熱媒体が流通している場合、前記上流側バルブ（２２）の開度が０％になり、前記下流側バルブ（２３）の開度が０％よりも大きくなることによって、前記少なくとも１つの熱機器における前記熱媒体の流通が遮断されることを特徴とする請求項１に車両用熱管理装置。
【請求項３】
熱媒体を吸入して吐出するポンプ（１１、１２）と、
前記熱媒体を貯留するリザーブタンク（５５）と、
前記熱媒体と熱交換される複数の熱機器（１３、１６、１７、１８、２０Ａ、２０Ｂ）と、
前記複数の熱機器のうち少なくとも１つの熱機器に対して前記熱媒体の流れの上流側に配置され、前記熱媒体の流路の開度を調整する上流側バルブ（２２）と、
前記複数の熱機器のうち少なくとも１つの熱機器に対して前記熱媒体の流れの下流側に配置され、前記熱媒体の流路の開度を調整する下流側バルブ（２３）と、
前記上流側バルブ（２２）と前記少なくとも１つの熱機器との間における前記熱媒体の流路、および前記少なくとも１つの熱機器と前記下流側バルブ（２３）との間における前記熱媒体の流路のうち少なくとも一方の流路を形成し、前記熱媒体の圧力に応じて膨張・収縮するホース（４３、４６、４７、４８、５０、５１）とを備え、
前記複数の熱機器のうち他の少なくとも１つの熱機器に前記熱媒体が流通している場合、前記上流側バルブ（２２）における前記熱媒体の圧力損失が前記下流側バルブ（２３）における前記熱媒体の圧力損失よりも大きくなることによって、前記少なくとも１つの熱機器における前記熱媒体の流量が制限され、
前記上流側バルブ（２２）および前記下流側バルブ（２３）はそれぞれ、前記熱媒体の流路と連通する開口部（２２２ａ、２３２ａ）が形成された弁体（２２２、２３２）と、前記弁体（２２２、２３２）からの前記冷却水の漏れを抑制するシール部材（２２３、２３３）とを有しており、
前記下流側バルブ（２３）のシール部材（２３３）のシール力が前記上流側バルブ（２２）のシール部材（２２３）のシール力よりも弱くなっていることによって、前記上流側バルブ（２２）における前記熱媒体の圧力損失が前記下流側バルブ（２３）における前記熱媒体の圧力損失よりも大きくなることを特徴とする車両用熱管理装置。
【請求項４】
前記ポンプは第１ポンプ（１１）であり、
さらに、前記熱媒体を吸入して吐出する第２ポンプ（１２）を備え、
前記上流側バルブ（２２）は、前記第１ポンプ（１１）が吐出した前記熱媒体、および前記第２ポンプ（１２）が吐出した前記熱媒体のいずれかを前記少なくとも１つの熱機器に選択的に流入させ、
前記下流側バルブ（２３）は、前記少なくとも１つの熱機器から流出した前記熱媒体を、前記第１ポンプ（１１）および前記第２ポンプ（１２）のいずれかに選択的に流入させることを特徴とする請求項１ないし３のいずれか１つに記載の車両用熱管理装置。
【請求項５】
前記他の少なくとも１つの熱機器に前記熱媒体が流通している場合において、
前記熱媒体の圧力、前記熱媒体の温度、および前記リザーブタンク（５５）に貯留されている前記熱媒体の液面の高さのうち少なくとも１つに基づいて、前記リザーブタンク（５５）に貯留されている前記熱媒体が増加すると判断される場合、
前記下流側バルブ（２３）における前記熱媒体の圧力損失が前記上流側バルブ（２２）における前記熱媒体の圧力損失よりも大きくなることによって、前記少なくとも１つの熱機器における前記熱媒体の流量が制限されることを特徴とする請求項１ないし３のいずれか１つに記載の車両用熱管理装置。
【請求項６】
前記他の少なくとも１つの熱機器に前記熱媒体が流通している場合において、
前記熱媒体の圧力、前記熱媒体の温度、および前記リザーブタンク（５５）に貯留されている前記熱媒体の液面の高さのうち少なくとも１つに基づいて、前記リザーブタンク（５５）に貯留されている前記熱媒体が減少すると判断される場合、
前記上流側バルブ（２２）における前記熱媒体の圧力損失が前記下流側バルブ（２３）における前記熱媒体の圧力損失よりも大きくなることによって、前記少なくとも１つの熱機器における前記熱媒体の流量が制限されることを特徴とする請求項１ないし３のいずれか１つに記載の車両用熱管理装置。
【請求項７】
前記他の少なくとも１つの熱機器に前記熱媒体が流通している場合において、
前記少なくとも１つの熱機器の温度、または前記他の少なくとも１つの熱機器の温度が所定温度を超えると推定される場合、
前記下流側バルブ（２３）における前記熱媒体の圧力損失が前記上流側バルブ（２２）における前記熱媒体の圧力損失よりも大きくなることによって、前記少なくとも１つの熱機器における前記熱媒体の流量が制限されることを特徴とする請求項１ないし３のいずれか１つに記載の車両用熱管理装置。
【請求項８】
前記複数の熱機器は、前記熱媒体と相手側流体とを熱交換させる熱交換器（１６、１７、１８、２０）を含んでおり、
前記相手側流体の温度が所定温度を超えると推定される場合、
前記下流側バルブ（２３）における前記熱媒体の圧力損失が前記上流側バルブ（２２）における前記熱媒体の圧力損失よりも大きくなることによって、前記少なくとも１つの熱機器における前記熱媒体の流量が制限されることを特徴とする請求項１ないし３のいずれか１つに記載の車両用熱管理装置。
【請求項９】
熱媒体を吸入して吐出するポンプ（１１、１２）と、
前記熱媒体を貯留するリザーブタンク（５５）と、
前記熱媒体と熱交換される複数の熱機器（１３、１６、１７、１８、２０Ａ、２０Ｂ）と、
前記複数の熱機器のうち少なくとも１つの熱機器に対して前記熱媒体の流れの上流側に配置され、前記熱媒体の流路の開度を調整する上流側バルブ（２２）と、
前記複数の熱機器のうち少なくとも１つの熱機器に対して前記熱媒体の流れの下流側に配置され、前記熱媒体の流路の開度を調整する下流側バルブ（２３）と、
前記上流側バルブ（２２）と前記少なくとも１つの熱機器との間における前記熱媒体の流路、および前記少なくとも１つの熱機器と前記下流側バルブ（２３）との間における前記熱媒体の流路のうち少なくとも一方の流路を形成し、前記熱媒体の圧力に応じて膨張・収縮するホース（４３、４６、４７、４８、５０、５１）とを備え、
前記複数の熱機器のうち他の少なくとも１つの熱機器に前記熱媒体が流通している場合、前記上流側バルブ（２２）における前記熱媒体の圧力損失が前記下流側バルブ（２３）における前記熱媒体の圧力損失よりも大きくなることによって、前記少なくとも１つの熱機器における前記熱媒体の流量が制限され、
前記他の少なくとも１つの熱機器に前記熱媒体が流通している場合において、
前記熱媒体の圧力、前記熱媒体の温度、および前記リザーブタンク（５５）に貯留されている前記熱媒体の液面の高さのうち少なくとも１つに基づいて、前記リザーブタンク（５５）に貯留されている前記熱媒体が増加すると判断される場合、
前記下流側バルブ（２３）における前記熱媒体の圧力損失が前記上流側バルブ（２２）における前記熱媒体の圧力損失よりも大きくなることによって、前記少なくとも１つの熱機器における前記熱媒体の流量が制限されることを特徴とする車両用熱管理装置。
【請求項１０】
熱媒体を吸入して吐出するポンプ（１１、１２）と、
前記熱媒体を貯留するリザーブタンク（５５）と、
前記熱媒体と熱交換される複数の熱機器（１３、１６、１７、１８、２０Ａ、２０Ｂ）と、
前記複数の熱機器のうち少なくとも１つの熱機器に対して前記熱媒体の流れの上流側に配置され、前記熱媒体の流路の開度を調整する上流側バルブ（２２）と、
前記複数の熱機器のうち少なくとも１つの熱機器に対して前記熱媒体の流れの下流側に配置され、前記熱媒体の流路の開度を調整する下流側バルブ（２３）と、
前記上流側バルブ（２２）と前記少なくとも１つの熱機器との間における前記熱媒体の流路、および前記少なくとも１つの熱機器と前記下流側バルブ（２３）との間における前記熱媒体の流路のうち少なくとも一方の流路を形成し、前記熱媒体の圧力に応じて膨張・収縮するホース（４３、４６、４７、４８、５０、５１）とを備え、
前記複数の熱機器のうち他の少なくとも１つの熱機器に前記熱媒体が流通している場合、前記上流側バルブ（２２）における前記熱媒体の圧力損失が前記下流側バルブ（２３）における前記熱媒体の圧力損失よりも大きくなることによって、前記少なくとも１つの熱機器における前記熱媒体の流量が制限され、
前記他の少なくとも１つの熱機器に前記熱媒体が流通している場合において、
前記熱媒体の圧力、前記熱媒体の温度、および前記リザーブタンク（５５）に貯留されている前記熱媒体の液面の高さのうち少なくとも１つに基づいて、前記リザーブタンク（５５）に貯留されている前記熱媒体が減少すると判断される場合、
前記上流側バルブ（２２）における前記熱媒体の圧力損失が前記下流側バルブ（２３）における前記熱媒体の圧力損失よりも大きくなることによって、前記少なくとも１つの熱機器における前記熱媒体の流量が制限されることを特徴とする車両用熱管理装置。
【請求項１１】
熱媒体を吸入して吐出するポンプ（１１、１２）と、
前記熱媒体を貯留するリザーブタンク（５５）と、
前記熱媒体と熱交換される複数の熱機器（１３、１６、１７、１８、２０Ａ、２０Ｂ）と、
前記複数の熱機器のうち少なくとも１つの熱機器に対して前記熱媒体の流れの上流側に配置され、前記熱媒体の流路の開度を調整する上流側バルブ（２２）と、
前記複数の熱機器のうち少なくとも１つの熱機器に対して前記熱媒体の流れの下流側に配置され、前記熱媒体の流路の開度を調整する下流側バルブ（２３）と、
前記上流側バルブ（２２）と前記少なくとも１つの熱機器との間における前記熱媒体の流路、および前記少なくとも１つの熱機器と前記下流側バルブ（２３）との間における前記熱媒体の流路のうち少なくとも一方の流路を形成し、前記熱媒体の圧力に応じて膨張・収縮するホース（４３、４６、４７、４８、５０、５１）とを備え、
前記複数の熱機器のうち他の少なくとも１つの熱機器に前記熱媒体が流通している場合、前記上流側バルブ（２２）における前記熱媒体の圧力損失が前記下流側バルブ（２３）における前記熱媒体の圧力損失よりも大きくなることによって、前記少なくとも１つの熱機器における前記熱媒体の流量が制限され、
前記他の少なくとも１つの熱機器に前記熱媒体が流通している場合において、
前記少なくとも１つの熱機器の温度、または前記他の少なくとも１つの熱機器の温度が所定温度を超えると推定される場合、
前記下流側バルブ（２３）における前記熱媒体の圧力損失が前記上流側バルブ（２２）における前記熱媒体の圧力損失よりも大きくなることによって、前記少なくとも１つの熱機器における前記熱媒体の流量が制限されることを特徴とする車両用熱管理装置。
【請求項１２】
熱媒体を吸入して吐出するポンプ（１１、１２）と、
前記熱媒体を貯留するリザーブタンク（５５）と、
前記熱媒体と熱交換される複数の熱機器（１３、１６、１７、１８、２０Ａ、２０Ｂ）と、
前記複数の熱機器のうち少なくとも１つの熱機器に対して前記熱媒体の流れの上流側に配置され、前記熱媒体の流路の開度を調整する上流側バルブ（２２）と、
前記複数の熱機器のうち少なくとも１つの熱機器に対して前記熱媒体の流れの下流側に配置され、前記熱媒体の流路の開度を調整する下流側バルブ（２３）と、
前記上流側バルブ（２２）と前記少なくとも１つの熱機器との間における前記熱媒体の流路、および前記少なくとも１つの熱機器と前記下流側バルブ（２３）との間における前記熱媒体の流路のうち少なくとも一方の流路を形成し、前記熱媒体の圧力に応じて膨張・収縮するホース（４３、４６、４７、４８、５０、５１）とを備え、
前記複数の熱機器のうち他の少なくとも１つの熱機器に前記熱媒体が流通している場合、前記上流側バルブ（２２）における前記熱媒体の圧力損失が前記下流側バルブ（２３）における前記熱媒体の圧力損失よりも大きくなることによって、前記少なくとも１つの熱機器における前記熱媒体の流量が制限され、
前記複数の熱機器は、前記熱媒体と相手側流体とを熱交換させる熱交換器（１６、１７、１８、２０）を含んでおり、
前記相手側流体の温度が所定温度を超えると推定される場合、
前記下流側バルブ（２３）における前記熱媒体の圧力損失が前記上流側バルブ（２２）における前記熱媒体の圧力損失よりも大きくなることによって、前記少なくとも１つの熱機器における前記熱媒体の流量が制限されることを特徴とする車両用熱管理装置。
【請求項１３】
前記上流側バルブ（２２）の開度が前記下流側バルブ（２３）の開度よりも小さくなることによって、前記上流側バルブ（２２）における前記熱媒体の圧力損失が前記下流側バルブ（２３）における前記熱媒体の圧力損失よりも大きくなることを特徴とする請求項９ないし１２のいずれか１つに記載の車両用熱管理装置。
【請求項１４】
前記複数の熱機器（１３、１６、１７、１８、２０Ａ、２０Ｂ）のうち他の少なくとも１つの熱機器に前記熱媒体が流通している場合、前記上流側バルブ（２２）の開度が０％になり、前記下流側バルブ（２３）の開度が０％よりも大きくなることによって、前記少なくとも１つの熱機器における前記熱媒体の流通が遮断されることを特徴とする請求項１３に車両用熱管理装置。
【手続補正２】
【補正対象書類名】明細書
【補正対象項目名】０００８
【補正方法】変更
【補正の内容】
【０００８】
上記目的を達成するため、請求項１、３、９、１０、１１、１２に記載の発明では、
熱媒体を吸入して吐出するポンプ（１１、１２）と、
熱媒体を貯留するリザーブタンク（５５）と、
熱媒体と熱交換される複数の熱機器（１３、１６、１７、１８、２０Ａ、２０Ｂ）と、
複数の熱機器のうち少なくとも１つの熱機器に対して熱媒体の流れの上流側に配置され、熱媒体の流路の開度を調整する上流側バルブ（２２）と、
複数の熱機器（１３、１６、１７、１８、２０Ａ、２０Ｂ）のうち少なくとも１つの熱機器に対して熱媒体の流れの下流側に配置され、熱媒体の流路の開度を調整する下流側バルブ（２３）と、
上流側バルブ（２２）と少なくとも１つの熱機器との間における熱媒体の流路、および少なくとも１つの熱機器と下流側バルブ（２３）との間における熱媒体の流路のうち少なくとも一部を形成し、熱媒体の圧力に応じて膨張・収縮するホース（４３、４６、４７、４８、５０、５１）とを備え、
複数の熱機器のうち他の少なくとも１つの熱機器に熱媒体が流通している場合、上流側バルブ（２２）における熱媒体の圧力損失が下流側バルブ（２３）における熱媒体の圧力損失よりも大きくなることによって、少なくとも１つの熱機器における熱媒体の流量が制限されることを特徴とする。
【手続補正３】
【補正対象書類名】明細書
【補正対象項目名】０００９
【補正方法】変更
【補正の内容】
【０００９】
これによると、上流側バルブ（２２）における熱媒体の圧力損失が下流側バルブ（２３）における熱媒体の圧力損失以下になっている場合と比較して、少なくとも１つの熱機器における熱媒体の圧力を低くできるので、ホース（４３、４６、４７、４８、５０、５１）の膨張を抑制してホースの容積を小さく抑えることができる。そのため、リザーブタンク（５５）内の熱媒体の減少を抑制できる。
さらに、請求項１に記載の発明では、
上流側バルブ（２２）の開度が下流側バルブ（２３）の開度よりも小さくなることによって、上流側バルブ（２２）における熱媒体の圧力損失が下流側バルブ（２３）における熱媒体の圧力損失よりも大きくなり、
上流側バルブ（２２）および下流側バルブ（２３）はそれぞれ、熱媒体の流路と連通する開口部（２２２ａ、２３２ａ）が形成された弁体（２２２、２３２）を有しており、
上流側バルブ（２２）の開口部（２２２ａ）の形状と下流側バルブ（２３）の開口部（２３２ａ）の形状とが互いに異なっていることによって、上流側バルブ（２２）の開度が下流側バルブ（２３）の開度よりも小さくなることを特徴とする。
これにより、少なくとも１つの熱機器における熱媒体の圧力を確実に低くできる。また、簡素な構成によって、上流側バルブ（２２）および下流側バルブ（２３）の開度を互いに異ならせることができる。
さらに、請求項３に記載の発明では、
上流側バルブ（２２）および下流側バルブ（２３）はそれぞれ、熱媒体の流路と連通する開口部（２２２ａ、２３２ａ）が形成された弁体（２２２、２３２）と、弁体（２２２、２３２）からの冷却水の漏れを抑制するシール部材（２２３、２３３）とを有しており、
下流側バルブ（２３）のシール部材（２３３）のシール力が上流側バルブ（２２）のシール部材（２２３）のシール力よりも弱くなっていることによって、上流側バルブ（２２）における熱媒体の圧力損失が下流側バルブ（２３）における熱媒体の圧力損失よりも大きくなることを特徴とする。
これにより、少なくとも１つの熱機器における熱媒体の圧力を確実に低くできる。
さらに、請求項９に記載の発明では、
他の少なくとも１つの熱機器に熱媒体が流通している場合において、
熱媒体の圧力、熱媒体の温度、およびリザーブタンク（５５）に貯留されている熱媒体の液面の高さのうち少なくとも１つに基づいて、リザーブタンク（５５）に貯留されている熱媒体が増加すると判断される場合、
下流側バルブ（２３）における熱媒体の圧力損失が上流側バルブ（２２）における熱媒体の圧力損失よりも大きくなることによって、少なくとも１つの熱機器における熱媒体の流量が制限されることを特徴とする。
これによると、リザーブタンク（５５）に貯留されている熱媒体が増加すると判断される場合、少なくとも１つの熱機器における熱媒体の圧力を高くできるので、ホース（４３、４６、４７、４８、５０、５１）を膨張させてホースの容積を大きくできる。そのため、リザーブタンク（５５）内の熱媒体の増加を抑制できる。
さらに、請求項１０に記載の発明では、
他の少なくとも１つの熱機器に熱媒体が流通している場合において、
熱媒体の圧力、熱媒体の温度、およびリザーブタンク（５５）に貯留されている熱媒体の液面の高さのうち少なくとも１つに基づいて、リザーブタンク（５５）に貯留されている熱媒体が減少すると判断される場合、
上流側バルブ（２２）における熱媒体の圧力損失が下流側バルブ（２３）における熱媒体の圧力損失よりも大きくなることによって、少なくとも１つの熱機器における熱媒体の流量が制限されることを特徴とする。
これによると、リザーブタンク（５５）に貯留されている熱媒体が減少すると判断される場合、少なくとも１つの熱機器における熱媒体の圧力を低くできるので、ホース（４３、４６、４７、４８、５０、５１）の膨張を抑制させてホースの容積を小さくできる。そのため、リザーブタンク（５５）内の熱媒体の減少を抑制できる。
さらに、請求項１１に記載の発明では、
他の少なくとも１つの熱機器に熱媒体が流通している場合において、
少なくとも１つの熱機器の温度、または他の少なくとも１つの熱機器の温度が所定温度を超えると推定される場合、
下流側バルブ（２３）における熱媒体の圧力損失が上流側バルブ（２２）における熱媒体の圧力損失よりも大きくなることによって、少なくとも１つの熱機器における熱媒体の流量が制限されることを特徴とする。
これによると、少なくとも１つの熱機器の温度、または他の少なくとも１つの熱機器の温度が所定温度を超えると推定される場合、少なくとも１つの熱機器における熱媒体の圧力を高くできるので、熱媒体の沸騰温度を上昇させることができる。そのため、熱媒体の沸騰を抑制できる。
さらに、請求項１２に記載の発明では、
複数の熱機器は、熱媒体と相手側流体とを熱交換させる熱交換器（１６、１７、１８、２０）を含んでおり、
相手側流体の温度が所定温度を超えると推定される場合、
下流側バルブ（２３）における熱媒体の圧力損失が上流側バルブ（２２）における熱媒体の圧力損失よりも大きくなることによって、少なくとも１つの熱機器における熱媒体の流量が制限されることを特徴とする。
これによると、相手側流体の温度が所定温度を超えると推定される場合、少なくとも１つの熱機器における熱媒体の圧力を高くできるので、熱媒体の沸騰温度を上昇させることができる。そのため、熱媒体の沸騰を抑制できる。